(57)【特許請求の範囲】
【請求項１】
モニタの縦横比と受信した映像の縦横比とが異なる場合のデジタルテレビ放送受信機における文字データの表示方法において、
文字のサイズに関しては、受信機が備えているフォントのサイズのうち、文字データによって指定されたサイズを映像の縦横比とモニタの縦横比とに応じて比例的に補正した場合のサイズ以下であって当該補正後のサイズに最も近いサイズを選択し、
文字の表示位置に関しては、原則的には、文字データによって指定された表示位置を映像の縦横比とモニタの縦横比とに応じて比例的に補正するが、文字データの中で連続して表示すべき文字列に対しては文字列の先頭の文字に関してのみ上記の表示位置の補正を行い、先頭の文字に続く文字については、選択された文字サイズに応じて予め定められている文字間隔に応じた移動量だけ表示位置を移動させて表示させることを特徴とするデジタルテレビ放送受信機における文字データの表示方法。
【発明の詳細な説明】
【０００１】
【発明の属する技術分野】
この発明は、デジタルテレビ放送受信機における文字データの表示方法に関する。
【０００２】
【従来の技術】
近年テレビ放送のデジタル化が進み、本年末に放送開始予定のＢＳデジタル放送では従来の解像度、サイズ、縦横比（４：３）の映像（ＳＤ；Standard Difinition)に加え、より解像度が高くサイズや縦横比（１６：９）の異なる映像（ＨＤ；High Difinition ）も、同一のチャンネルで放送することが可能となる。
【０００３】
このため、デジタルテレビ放送受信機においては、解像度の異なる映像を受信機のモニタの縦横比（アスペクト比）に合わせて比例的に補正を行って表示させる機能を備えている。
【０００４】
またデジタル放送では映像とともに、字幕などの映像に重ねて表示させるための文字データも多重化されて送られる。デジタル放送受信機では送られてきた文字データを解析し、指定されたサイズおよび指定された色で、指定された位置に、映像に重ねて文字を表示する機能を備えている。
【０００５】
デジタル放送では縦横比の異なる映像が送られてくるため、重ね合わされる文字データの表示サイズおよび表示位置も、重ね合わせる映像の縦横比に対応した表示範囲を基準とした表示サイズおよび表示位置として送られてくる。一方、受信機のモニタの縦横比が固定されているため、受信機側ではモニタの縦横比と異なる縦横比の映像を受信した場合には、モニタの縦横比に適合するように映像を補正するとともに、文字データに関しても同様の補正が必要になる。
【０００６】
しかしながら、映像と同じように文字の拡大縮小を行うと、文字がつぶれて読みにくくなるという問題がある。また、映像と同じように文字の拡大縮小を行うと、全ての映像の縦横比に対応したオンスクリーン表示部が必要となる。
【０００７】
これを回避するためには、補正後の文字サイズに応じたフォントを使用すればよいが、その場合には多くのサイズのフォントデータをメモリに格納しておく必要があるという問題がある。
【０００８】
【発明が解決しようとする課題】
この発明は、受信機のモニタの縦横比に対応したオンスクリーン表示部だけで、モニタの縦横比と異なった縦横比の映像に対する文字表示が可能となるデジタルテレビ放送受信機における文字データの表示方法を提供することを目的とする。
【０００９】
【課題を解決するための手段】
この発明によるデジタルテレビ放送受信機における文字データの表示方法は、モニタの縦横比と受信した映像の縦横比とが異なる場合のデジタルテレビ放送受信機における文字データの表示方法において、文字のサイズに関しては、受信機が備えているフォントのサイズのうち、文字データによって指定されたサイズを映像の縦横比とモニタの縦横比とに応じて比例的に補正した場合のサイズ以下であって当該補正後のサイズに最も近いサイズを選択し、文字の表示位置に関しては、原則的には、文字データによって指定された表示位置を映像の縦横比とモニタの縦横比とに応じて比例的に補正するが、文字データの中で連続して表示すべき文字列に対しては文字列の先頭の文字に関してのみ上記の表示位置の補正を行い、先頭の文字に続く文字については、選択された文字サイズに応じて予め定められている文字間隔に応じた移動量だけ表示位置を移動させて表示させることを特徴とする。
【００１１】
【発明の実施の形態】
以下、図面を参照して、この発明の実施の形態について説明する。
【００１２】
図１は、デジタルテレビ放送受信機の構成を示している。
【００１３】
アンテナ１から取り込まれた映像信号は選局部２で特定の周波数のチャンネルだけが選局され復調部３に送られる。デジタル放送信号はトランスポートストリーム（以下ストリーム）の形で送られ、複数の番組や各番組に関する情報・映像に重ね合わせる文字データなどが多重されている。
【００１４】
復調部３で復調されたストリームは、ストリーム分離部４により特定のデータだけが抜き出される。抜き出された映像データは映像デコーダ部７に、音声データは音声デコーダ５に送られる。映像データは効率よく伝送するために圧縮されているため、映像デコーダ部７で伸長されてからモニタ９で表示される。同様に、音声データも効率よく伝送するために圧縮されているため、音声デコーダ部５で伸長されてからスピーカ６で出力される。
【００１５】
映像データの縦横比が、モニタ９の縦横比と異なる場合には、映像デコーダ部７で伸長されると同時にモニタ９の縦横比に適合するように補正された後に、モニタ９で表示される。
【００１６】
制御部１０は、選局部２およびストリーム分離部４を制御することによって、特定のチャンネルの特定の番組を表示するように受信機を制御する。
【００１７】
また番組の情報や、字幕などの文字データはストリーム分離部４で抜き出されて制御部１０に送られる。
【００１８】
制御部１０では、ストリーム分離部４から送られてきた文字データを、文字データメモリ１１に格納してその内容を解析し、その内容にしたがってフォントデータメモリ１２からフォント情報を読み込み、オンスクリーン表示部８で文字を表示させる。オンスクリーン表示部８では、映像デコーダ部７からの映像に文字を重ね合わせて、モニタ９により表示させる。
【００１９】
次に、字幕などの文字データの処理について説明する。
【００２０】
図２は、文字データの例を示している。
【００２１】
文字データには、表示する文字のデータと、文字のサイズ、文字の色、表示位置、表示する時間などのデータが含まれており、制御部１０はその内容に従ってオンスクリーン表示を行う。表示位置は、横方向にＸ軸をとり、縦方向にＹ軸をとった座標系で表されている。
【００２２】
図２の文字データの例では、１０時１０分１０秒に前景色が白で背景色が黒の「字幕表示」という文字を、左から１０ドット上から１０ドットの位置に、１６ドットの文字サイズで表示することを指示している。図３に、図２の文字データに対する表示例を示す。
【００２３】
次に縦横比の異なる映像の表示方法と、その映像に重ねる文字データの表示方法について説明する。
【００２４】
図４は、映像の縦横比とモニタ表示例とを示している。
【００２５】
ここで、受信機のモニタ９の縦横比は、１６：９（９６０：５４０）としている。図４（ａ）は、受信映像が縦横比１６：９のＨＤ映像である場合の表示例であり、映像は補正なしに表示される。
【００２６】
図４（ｂ）は、受信映像が縦横比４：３のＳＤ映像である場合の表示例であり、モニタ９上では映像データのない左右の領域に映像が表示されない。
【００２７】
図４（ｃ）は、受信映像が縦横比４：３のＳＤ映像であるが上下に映像データがなく実質的に１６：９の縦横比になっている映像の表示例である。つまり、縦横比４：３のＳＤ映像の中で映像データが存在する１６：９の部分だけを抜き出して、モニタの全領域に拡大表示している。
【００２８】
文字データは、縦横比が１６：９のＨＤ映像の場合には９６０×５４０ドットの表示範囲を基準として作成されたものが送られ、縦横比が４：３のＳＤ映像の場合には７２０×４８０ドットの表示範囲を基準として作成されたものが送られる。
【００２９】
また、受信機のモニタ９の縦横比は１６：９のため、オンスクリーン表示部８は９６０×５４０ドットの表示構成となっている。
【００３０】
このため、図４（ａ）のように受信映像が縦横比１６：９のＨＤ映像である場合には、文字データを補正する必要はないが、図４（ｂ）または（ｃ）のように受信映像が縦横比４：３のＳＤ映像である場合には、文字データを補正する必要がある。
【００３１】
文字のサイズの補正方法について説明する。文字のサイズに関しては、文字データによって指定されたサイズを、映像の縦横比とモニタの縦横比とに応じて比例的に補正し、補正後のサイズのフォントを使うことが考えられる。しかしながら、フォントの種類を増加させると受信機のメモリの増加を招き、また通常使用しているフォントデータを拡大縮小すると、整数倍でない拡大率の場合や縦横の拡大率が異なる場合には文字がつぶれ、見にくくなるという欠点がある。
【００３２】
そこで、この実施の形態では、受信機が備えているフォントのサイズのうち、文字データによって指定されたサイズを映像の縦横比とモニタの縦横比とに応じて比例的に補正した場合のサイズ以下であって当該補正後のサイズに最も近いサイズを選択する。
【００３３】
文字の表示の位置の決定方法について説明する。文字の表示位置に関しては、文字データによって指定された表示位置を映像の縦横比とモニタの縦横比とに応じて比例的に補正する。文字データによって指定された表示位置を（ｘ，ｙ）とする。
【００３４】
図４（ｂ）の場合には、補正後の横方向の表示位置ｘ’を（ｘ＋１２０）とする。また、補正後の縦方向の表示位置ｙ’を、（ｙ＋ｙ／８）とする。これは、ｙ’＝ｙ＋｛（５４０−４８０）／４８０｝ｙから導き出されている。
【００３５】
図４（ｃ）の場合には、補正後の横方向の表示位置ｘ’を（ｘ＋ｘ／３）とする。これは、ｘ’＝ｘ＋｛（９６０−７２０）／７２０｝ｘから導き出されている。また、補正後の縦方向の表示位置ｙ’を、｛（ｙ＋３７．５）＋ｙ／３｝とする。これは、ｙ’＝（ｙ＋３７．５）＋｛（５４０−４０５）／４０５｝ｙから導き出されている。なお座標値は整数である必要があるため、小数点以下は切り捨てられる。
【００３６】
図５は、上記のようにして補正された後の文字の表示例を示している。
【００３７】
図５の点線の枠は、文字データによって指定されたサイズを、映像の縦横比とモニタの縦横比とに応じて比例的に補正した場合の文字表示範囲を示している。図５の実線の枠は、受信機が備えているフォントのサイズのうち、文字データによって指定されたサイズを映像の縦横比とモニタの縦横比とに応じて比例的に補正した場合のサイズ以下であって当該補正後のサイズに最も近いサイズのフォントを使用した場合の文字表示範囲を示している。
【００３８】
図５に示すように、文字データによって指定されたサイズを、映像の縦横比とモニタの縦横比とに応じて比例的に補正した場合のサイズよりも、小さな文字が表示されるため、映像の縦横比とモニタの縦横比とに応じて比例的に補正した場合の文字表示範囲の中心に文字を表示させている。
【００３９】
しかしながら、図５の表示では、文字と文字の間が大きくなっているため、表示された文字のバランスが悪いという問題がある。また、本実施の形態による補正では、計算結果が整数で処理されるため、１ドットの誤差が生じることがあり、結果として文字と文字の間隔が一定にならない場合がある。
【００４０】
そこで、図６に示すように、連続する文字列の最初の文字「字」に関しては上記の方法と同様な位置補正を行い、次に続く文字「幕」、「表」、「示」に関しては、補正後の文字サイズに応じて予め定められている文字間隔に応じた表示位置移動を行うことにより、その文字サイズに応じた文字間隔で表示させるようにしている。この様に字の大きさに応じた字間で表示されるため、見やすい表示となっている。
【００４１】
文字列「字幕表示」に連続していない文字列、つまり新たに位置の指定をされた文字列「次の表示」がきた場合には、再度最初の文字に対してのみ表示位置の補正を行い、それ以降の文字は補正後の文字サイズに応じて予め定められている文字間隔に応じた表示位置移動を行う。
【００４２】
上記実施の形態によれば、受信機のモニタの縦横比に対応したオンスクリーン部だけで、モニタの縦横比と異なった縦横比の映像に対する字幕表示を行うことができる。また補正によって文字間隔が広くなったりバラバラになることなく、表示を行うことができる。
【００４３】
【発明の効果】
この発明によれば、受信機のモニタの縦横比に対応したオンスクリーン表示部だけで、モニタの縦横比と異なった縦横比の映像に対する文字表示が可能となる。
【図面の簡単な説明】
【図１】デジタルテレビ放送受信機の構成を示すブロック図である。
【図２】文字データの具体例を示す模式図である。
【図３】文字データの表示例を示す模式図である。
【図４】異なった縦横比の映像と、それらの映像に対するモニタ表示例とを示す模式図である。
【図５】文字の表示例を示す模式図である。
【図６】文字の表示例を示す模式図である。
【符号の説明】
１  アンテナ
２  選局部
３  復調部
４  ストリーム分離部
５  音声デコーダ部
６  スピーカ
７  映像デコーダ部
８  オンスクリーン表示部
９  モニタ
１０  制御部
１１  文字データ用メモリ
１２  フォントデータ用メモリ
【図１】
0003670934.tif 000002
【図２】
0003670934.tif 000003
【図３】
0003670934.tif 000004
【図４】
0003670934.tif 000005
【図５】
0003670934.tif 000006
【図６】
0003670934.tif 000007